【手続補正書】
【提出日】平成16年3月18日(2004.3.18)
【手続補正１】
【補正対象書類名】明細書
【補正対象項目名】特許請求の範囲
【補正方法】変更
【補正の内容】
【特許請求の範囲】
【請求項１】
マトリクス状に設けられた複数の表示電極と、該表示電極に対向して設けられ、共通電圧が印加される対向電極と、走査線が選択されたときに上記表示電極に信号電圧を書き込むアクティブ素子と、上記表示電極に書き込まれた信号電圧と共通電圧とで定まる駆動電圧を保持する保持容量とを備えたアクティブマトリクス型表示装置を駆動する駆動方法において、
上記信号電圧を書き込むとともに上記駆動電圧を保持する書込保持期間の長さに応じて上記共通電圧のレベルを異ならせることを特徴とするアクティブマトリクス型表示装置の駆動方法。
【請求項２】
上記共通電圧として複数の直流電圧を用い、該直流電圧を長さの異なる上記書込保持期間毎に切り替えることを特徴とする請求項１に記載のアクティブマトリクス型表示装置の駆動方法。
【請求項３】
上記共通電圧として交流電圧を用い、該交流電圧の振幅中心電位を上記レベルとして長さの異なる上記書込保持期間毎に異ならせることを特徴とする請求項１に記載のアクティブマトリクス型表示装置の駆動方法。
【請求項４】
上記共通電圧として交流電圧を用い、該交流電圧の振幅を長さの異なる上記書込保持期間毎に異ならせることを特徴とする請求項１または３に記載のアクティブマトリクス型表示装置の駆動方法。
【請求項５】
マトリクス状に設けられた複数の表示電極と、該表示電極に対向して設けられ、共通電圧が印加される対向電極と、走査線が選択されたときに上記表示電極に信号電圧を書き込むアクティブ素子と、上記表示電極に書き込まれた信号電圧と共通電圧とで定まる駆動電圧を保持する保持容量とを備えたアクティブマトリクス型表示装置を駆動する駆動方法において、
上記信号電圧を書き込むとともに上記駆動電圧を保持する書込保持期間の長さに応じて上記信号電圧のレベルを異ならせることを特徴とするアクティブマトリクス型表示装置の駆動方法。
【請求項６】
上記信号電圧として複数の直流電圧を用い、該直流電圧を長さの異なる上記書込保持期間毎に切り替えることを特徴とする請求項５に記載のアクティブマトリクス型表示装置の駆動方法。
【請求項７】
隣り合う上記書込保持期間毎に極性が反転する上記信号電圧の一方の極性に対してのみレベルを異ならせることを特徴とする請求項５に記載のアクティブマトリクス型表示装置の駆動方法。
【請求項８】
隣り合う上記書込保持期間毎に極性が反転する上記信号電圧の両方の極性に対してレベルを異ならせることを特徴とする請求項５に記載のアクティブマトリクス型表示装置の駆動方法。
【請求項９】
上記信号電圧として交流電圧を用い、該交流電圧の振幅中心電位を上記レベルとして長さの異なる上記書込保持期間毎に異ならせることを特徴とする請求項５に記載のアクティブマトリクス型表示装置の駆動方法。
【請求項１０】
上記駆動電圧の保持低下を補償する電圧が上記書込保持期間の長さに応じて上記信号電圧のレベルに加味されていることを特徴とする請求項５に記載のアクティブマトリクス型表示装置の駆動方法。
【請求項１１】
上記信号電圧として交流電圧を用い、該交流電圧の振幅を長さの異なる上記書込保持期間毎に異ならせることを特徴とする請求項５または１０に記載のアクティブマトリクス型表示装置の駆動方法。
【請求項１２】
１画面分の表示電極に信号電圧を書き込む走査期間の後に、該走査期間より長く、信号電圧の書き込みを行わない非走査期間を設けることを特徴とする請求項１ないし１１のいずれか１項に記載のアクティブマトリクス型表示装置の駆動方法。
【請求項１３】
上記アクティブマトリクス型表示装置が、上記表示電極に反射電極を含む反射型アクティブマトリクス型液晶表示装置であることを特徴とする請求項１ないし１２のいずれか１項に記載のアクティブマトリクス型表示装置の駆動方法。
【請求項１４】
マトリクス状に設けられた複数の表示電極と、該表示電極に対向して設けられ、共通電圧が印加される対向電極と、走査線が選択されたときに上記表示電極に信号電圧を書き込むアクティブ素子と、上記表示電極に書き込まれた信号電圧と共通電圧とで定まる駆動電圧を保持する保持容量とを備えたアクティブマトリクス型表示装置において、
上記信号電圧を書き込むとともに上記駆動電圧を保持する書込保持期間の長さに応じて上記共通電圧のレベルを異ならせるレベル変更手段を備えていることを特徴とするアクティブマトリクス型表示装置。
【請求項１５】
上記レベル変更手段が、上記共通電圧としての複数の直流電圧を長さの異なる上記書込保持期間毎に切り替える電圧切替手段を有していることを特徴とする請求項１４に記載のアクティブマトリクス型表示装置。
【請求項１６】
上記レベル変更手段が、上記共通電圧としての交流電圧の振幅中心電位を上記レベルとして長さの異なる上記書込保持期間毎に異ならせることを特徴とする請求項１４に記載のアクティブマトリクス型表示装置。
【請求項１７】
上記レベル変更手段が、上記共通電圧としての交流電圧の振幅を長さの異なる上記書込保持期間毎に異ならせる振幅変更手段を有していることを特徴とする請求項１４または１６に記載のアクティブマトリクス型表示装置。
【請求項１８】
マトリクス状に設けられた複数の表示電極と、該表示電極に対向して設けられ、共通電圧が印加される対向電極と、走査線が選択されたときに上記表示電極に信号電圧を書き込むアクティブ素子と、上記表示電極に書き込まれた信号電圧と共通電圧とで定まる駆動電圧を保持する保持容量とを備えたアクティブマトリクス型表示装置において、
上記信号電圧を書き込むとともに上記駆動電圧を保持する書込保持期間の長さに応じて上記信号電圧のレベルを異ならせるレベル変更手段を備えていることを特徴とするアクティブマトリクス型表示装置。
【請求項１９】
上記レベル変更手段が、上記信号電圧としての複数の直流電圧を長さの異なる上記書込保持期間毎に切り替える電圧切替手段を有していることを特徴とする請求項１８に記載のアクティブマトリクス型表示装置。
【請求項２０】
上記電圧切替手段が、上記書込保持期間に対応して設けられ、上記直流電圧を設定する電圧設定手段を有し、選択された電圧設定手段にのみ電流を流すことを特徴とする請求項１５または１９に記載のアクティブマトリクス型表示装置。
【請求項２１】
上記レベル変更手段が、隣り合う上記書込保持期間毎に極性が反転する上記信号電圧の一方の極性に対してのみレベルを異ならせることを特徴とする請求項１８に記載のアクティブマトリクス型表示装置。
【請求項２２】
上記レベル変更手段が、隣り合う上記書込保持期間毎に極性が反転する上記信号電圧の両方の極性に対してレベルを異ならせることを特徴とする請求項１８に記載のアクティブマトリクス型表示装置。
【請求項２３】
上記レベル変更手段が、上記信号電圧としての交流電圧の振幅中心電位を上記レベルとして長さの異なる上記書込保持期間毎に異ならせることを特徴とする請求項１８に記載のアクティブマトリクス型表示装置。
【請求項２４】
上記レベル変更手段が、上記駆動電圧の保持低下を補償する電圧を上記書込保持期間の長さに応じて上記信号電圧のレベルに加味することを特徴とする請求項１８に記載のアクティブマトリクス型表示装置。
【請求項２５】
上記レベル変更手段が、上記信号電圧としての交流電圧の振幅を長さの異なる上記書込保持期間毎に異ならせる振幅変更手段を有していることを特徴とする請求項１８または２４に記載のアクティブマトリクス型表示装置。
【手続補正２】
【補正対象書類名】明細書
【補正対象項目名】００１１
【補正方法】変更
【補正の内容】
【００１１】
まず、図２１に示すように、信号電圧Ｖspを書き込んで保持したとき、ＴＦＴのオフ電圧Ｖoff(P)は高い保持電位と電位Ｖglとの差であり、信号電圧Ｖsnを書き込んで保持したとき、ＴＦＴのオフ電圧Ｖoff (N) は低い保持電位と電位Ｖglとの差である。また、図２２のＶgd−Ｉd （Ｖgdはゲート・ドレイン電圧を示し、Ｉd はドレイン電流を示す）特性に示すように、ＴＦＴは、理想的なスイッチではなく、オフ時においてもリーク電流が流れており、このオフ電圧Ｖoff(N)に対応するリーク電流は、オフ電圧Ｖoff(P)に対応するリーク電流と大きさが異なる。このため、信号電圧Ｖsp・Ｖsnを書き込んで保持した双方の場合では、電圧保持時のリーク放電量が異なり、その結果、共通電圧Ｖcom を基準とする実効電圧Ｖrms(P2) ・Ｖrms(N2) が低下し、これらに不均衡が生じる。したがって、リフレッシュ周期が長くなれば、その影響がより顕著になるため、リフレッシュ周期が変わる毎に輝度変化が発生し、その結果、フリッカが発生して表示画像の品位を著しく低下させる。


【手続補正３】
【補正対象書類名】明細書
【補正対象項目名】００２８
【補正方法】変更
【補正の内容】
【００２８】
このような表示セル１３において、表示電極１５は、ＴＦＴ１４のドレインおよびソースを介して信号線Ｓ(i) と接続され、ＴＦＴ１４のゲートが走査線Ｇ(j) に接続されている。また、対向電極１６は、バッファ回路４から出力される共通電圧Ｖcom が印加されている。これによって、ＴＦＴ１４がＯＮしている期間に信号線Ｓ(i) から電圧が書き込まれ、この電圧と共通電圧Ｖcom との電位差により、液晶の透過率または反射率が変調され、表示セル１３…に入力画像データに応じた画像が表示される。また、各表示セル１３では、液晶容量ＣLCに蓄積された電荷が一定期間保持されるので、ＴＦＴ１４がＯＦＦしても画像の表示がそれに応じて維持される。


【手続補正４】
【補正対象書類名】明細書
【補正対象項目名】００４２
【補正方法】変更
【補正の内容】
【００４２】
抵抗５ｅ・５ｆの一端には、ともに基準電位Ｖref1が印加されている。抵抗５ｅの他端は、切替スイッチ５ｉの一方の接点に接続され、抵抗５ｆの他端は、切替スイッチ５ｉの他方の接点に接続されている。抵抗５ｇ・５ｈの一端は、ともに接地されている。抵抗５ｇの他端は、切替スイッチ５ｉの一方の接点に接続され、抵抗５ｈの他端は、切替スイッチ５ｉの他方の接点に接続されている。


【手続補正５】
【補正対象書類名】明細書
【補正対象項目名】００４７
【補正方法】変更
【補正の内容】
【００４７】
このような構成では、表示モードＡのときに、オフセット電圧設定部５において、切替スイッチ５ｃが低電位側の抵抗５ｊに接続されるので、共通電圧Ｖcom として第１電圧Ｖcom1が得られる。一方、表示モードＢのときには、切替スイッチ５ｃが高電位側の抵抗５ｋに接続されるので、共通電圧Ｖcom として第２電圧Ｖcom2が得られる。


【手続補正６】
【補正対象書類名】明細書
【補正対象項目名】００６４
【補正方法】変更
【補正の内容】
【００６４】
このような構成では、表示モードＡのときに、オフセット電圧設定部７において、“Ｈ”レベルの制御信号ＣＯＮＴ２によって、切替スイッチ７ｏが抵抗７ｇ・７ｉを直列に接続するとともに、切替スイッチ７ｐが抵抗７ｋ・７ｍを直列に接続するので、基準電位Ｖref2が抵抗７ｇ・７ｉおよび抵抗７ｋ・７ｍによって分圧されて第１電圧Ｖsn1 ・Ｖsp1 が得られる。一方、表示モードＢのときには、“Ｌ”レベルの制御信号ＣＯＮＴ２によって、切替スイッチ７ｏが抵抗７ｈ・７ｊを直列に接続するとともに、切替スイッチ７ｐが抵抗７ｌ・７ｎを直列に接続するので、基準電位Ｖref2が抵抗７ｈ・７ｊおよび抵抗７ｌ・７ｎによって分圧されて第２電圧Ｖsn2 ・Ｖsp2 が得られる。


【手続補正７】
【補正対象書類名】明細書
【補正対象項目名】０１１９
【補正方法】変更
【補正の内容】
【０１１９】
さらに液晶パネル２には、図１７のうち液晶１７より下方の部分を上方から見た図１８に示すように、ＴＦＴ１４のゲート電極４５に走査信号を供給する走査線Ｇ(j) …と、ＴＦＴ１４のデータ電極４９にデータ信号を供給する信号線Ｓ(i) …とがマトリクス基板１１上に直交するように設けられている。そして、補助容量用電極パッド１５ａ…のそれぞれとの間に画素の補助容量を形成する補助容量電極としての補助容量配線５３…が設けられている。補助容量配線５３…は走査線Ｇ(j) …以外の位置で、一部がゲート絶縁膜４６を挟んで補助容量用電極パッド１５ａ…と対をなすようにマトリクス基板１１上に走査線Ｇ(j) …と平行に設けられている。この場合に限らず、補助容量配線５３…は走査線ＧＧ(j) …の位置を避けて設けられていればよい。なお、図１８では補助容量用電極パッド１５ａ…と補助容量配線５３…との位置関係が明確になるように反射電極１５ｂ…の図示を一部省略してある。また、図１７における層間絶縁膜５１の表面の凹凸は図１８では図示していない。